(57)【要約】  PDCCHに対してプリコーディングを適切に適用することができる端末。端末（１００）において、制限判定部（１０５）は、第１のコンポーネントキャリア（ＣＣ）及び第２のＣＣの各々に対するスケジューリング情報が第１のＣＣで通知される場合、第１のＣＣ及び第２のＣＣのうち、スケジューリング情報によるスケジュール対象のＣＣのサブキャリア間隔に基づいて、スケジューリング情報をブラインド復号する際の最大ブラインド復号回数を決定する。抽出部（１０２）は、最大ブラインド復号回数に基づいてブラインド復号を行い、スケジューリング情報を抽出する。
2020031426.tif 000002
【特許請求の範囲】
【請求項１】
第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定する制御回路と、
前記最大ブラインド復号回数に基づいてブラインド復号を行い、前記スケジューリング情報を抽出する受信回路と、
を具備する端末。
【請求項２】
前記制御回路は、前記スケジュール対象のＣＣのサブキャリア間隔に対応付けられたブラインド復号回数を用いて、前記スケジュール対象のＣＣに対する前記最大ブラインド復号回数を決定する、
請求項１に記載の端末。
【請求項３】
前記サブキャリア間隔が高いほど、当該サブキャリア間隔に対応付けられた単位時間あたりのブラインド復号回数は多く、
前記制御回路は、前記スケジュール対象のＣＣのサブキャリア間隔に対応付けられたブラインド復号回数以下の回数を用いて、前記最大ブラインド復号回数を決定する、
請求項１に記載の端末。
【請求項４】
前記制御回路は、
前記スケジュール対象のＣＣのサブキャリア間隔が、前記第１のＣＣのサブキャリア間隔よりも高い場合、前記第１のＣＣのサブキャリア間隔に対応付けられたブラインド復号回数を用いて、当該スケジューリング対象のＣＣに対する前記最大ブラインド復号回数を決定し、
前記スケジュール対象のＣＣのサブキャリア間隔が、前記第１のＣＣのサブキャリア間隔よりも高くない場合、前記スケジュール対象のＣＣのサブキャリア間隔に対応付けられたブラインド復号回数を用いて、当該スケジューリング対象のＣＣに対する前記最大ブラインド復号回数を決定する、
請求項３に記載の端末。
【請求項５】
前記制御回路は、前記第１のＣＣのサブキャリア間隔、及び、前記スケジュール対象のＣＣのサブキャリア間隔のうち、低いサブキャリア間隔に対応付けられたブラインド復号回数を用いて、前記最大ブラインド復号回数を決定する、
請求項３に記載の端末。
【請求項６】
前記制御回路は、複数の前記スケジュール対象のＣＣのサブキャリア間隔のうち最小のサブキャリア間隔に対応付けられたブラインド復号回数を用いて、前記最大ブラインド復号回数を決定する、
請求項３に記載の端末。
【請求項７】
前記制御回路は、
前記スケジュール対象のＣＣのサブキャリア間隔が、前記第１のＣＣのサブキャリア間隔よりも高い場合、当該スケジューリング対象のＣＣのサブキャリア間隔に対応付けられたブラインド復号回数に１未満の係数を乗算した値を用いて、当該スケジューリング対象のＣＣに対する前記最大ブラインド復号回数を決定し、
前記スケジュール対象のＣＣのサブキャリア間隔が、前記第１のＣＣのサブキャリア間隔よりも高くない場合、当該スケジュール対象のＣＣのサブキャリア間隔に対応付けられたブラインド復号回数を用いて、当該スケジューリング対象のＣＣに対する前記最大ブラインド復号回数を決定する、
請求項３に記載の端末。
【請求項８】
第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定し、
前記最大ブラインド復号回数に基づいてブラインド復号を行い、前記スケジューリング情報を抽出する、
通信方法。
【発明の詳細な説明】
【技術分野】
【０００１】
本開示は、端末及び通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延が必要とされるそれぞれのユースケース毎に機能を柔軟に提供することが検討されている。代表的なユースケースとして、拡張モバイルブロードバンド（eMBB：enhanced Mobile Broadband）、大規模コミュニケーション/多数接続（mMTC：massive Machine Type Communications）、超信頼性・低遅延 コミュニケーション（URLLC：Ultra Reliable and Low Latency Communications)の３つがある。国際標準化団体である3GPP（3rd Generation Partnership Project）では、LTEシステムの高度化と、NR（New Radio access technology）（例えば、非特許文献１を参照）の両面から、通信システムの高度化を検討している。【０００３】
5Gでは、キャリア・アグリゲーション（CA：Carrier Aggregation）がサポートされる。キャリア・アグリゲーションには、「self-scheduling」と「cross-carrier scheduling」という２種類のスケジューリング方法がある。self-schedulingでは、下り制御チャネル（例えば、PDCCH：Physical Downlink Control Channel）及びデータチャネル（例えば、PDSCH：Physical Downlink Shared Channel）は同一のCC（Component Carrier）において送信される。一方、cross-carrier schedulingでは、下り制御チャネルとデータチャネルとが異なるCCにおいて送信されることがある。
【先行技術文献】
【非特許文献】
【０００４】
【非特許文献１】RP-161596, "Revision of SI: Study on New Radio Access Technology", NTT DOCOMO, September 2016
【非特許文献２】3GPP, Draft Report of 3GPP TSG RAN WG1 #93 v0.2.0, June 2018
【非特許文献３】3GPP TS 38.213 V15.2.0, "NR; Physical layer procedure for control (Release 15)," June 2018
【非特許文献４】3GPP TS 38.214 V15.2.0, "NR; Physical layer procedures for data (Release 15)," June 2018
【発明の概要】
【０００５】
NRでは、異なるサブキャリア間隔（SCS：subcarrier spacing）等の複数のnumerologyがサポートされる。しかしながら、キャリア・アグリゲーションにおいて、複数のCCに異なるSCSが適用される場合について十分に検討されていない。
【０００６】
本開示の非限定的な実施例は、キャリア・アグリゲーションにおいて、複数のCCに異なるSCSが適用される場合に適切に通信できる端末及び通信方法の提供に資する。
【０００７】
本開示の一実施例に係る端末は、第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定する制御回路と、前記最大ブラインド復号回数に基づいてブラインド復号を行い、前記スケジューリング情報を抽出する受信回路と、を具備する。
【０００８】
本開示の一実施例に係る通信方法は、第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定し、前記最大ブラインド復号回数に基づいてブラインド復号を行い、前記スケジューリング情報を抽出する。
【０００９】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１０】
本開示の一実施例によれば、キャリア・アグリゲーションにおいて、複数のCCに異なるSCSが適用される場合に適切に通信できる。
【００１１】
本開示の一実施例における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１２】
【図１】SCSが異なる場合のCross-carrier schedulingの一例を示す図
【図２】サブキャリア間隔と最大ブラインド復号回数との対応関係の一例を示す図
【図３】サブキャリア間隔と最大CCE数との対応関係の一例を示す図
【図４】サブキャリア間隔と、インデックスと、スロット長との対応関係の一例を示す図
【図５】サブキャリア間隔とN1との対応関係を示す図
【図６】サブキャリア間隔とN1との対応関係を示す図
【図７】scheduling CCのSCSに基づく最大ブラインド復号回数及び最大CCE数の決定方法の一例を示す図
【図８】scheduling CCのSCSに基づく最大ブラインド復号回数及び最大CCE数の決定方法の一例を示す図
【図９】端末の一部の構成を示すブロック図
【図１０】端末の構成を示すブロック図
【図１１】基地局の構成を示すブロック図
【図１２】端末及び基地局の動作例を示すシーケンス図
【図１３】決定方法１に係る最大ブラインド復号回数の決定方法の一例を示す図
【図１４】決定方法１に係る最大ブラインド復号回数の決定方法の一例を示す図
【図１５】決定方法２−１に係る最大ブラインド復号回数の決定方法の一例を示す図
【図１６】決定方法２−１に係る最大ブラインド復号回数の決定方法の一例を示す図
【図１７】決定方法２−２に係る最大ブラインド復号回数の決定方法の一例を示す図
【図１８】決定方法２−２に係る最大ブラインド復号回数の決定方法の一例を示す図
【図１９】決定方法２−３に係る最大ブラインド復号回数の決定方法の一例を示す図
【図２０】決定方法２−３に係る最大ブラインド復号回数の決定方法の一例を示す図
【図２１】決定方法２−４に係る最大ブラインド復号回数の決定方法の一例を示す図
【図２２】決定方法２−４に係る最大ブラインド復号回数の決定方法の一例を示す図
【図２３】最大ブラインド復号回数の決定方法の他の例を示す図
【図２４】最大ブラインド復号回数の決定方法の他の例を示す図
【図２５】最大ブラインド復号回数の決定方法の他の例を示す図
【図２６】最大ブラインド復号回数の決定方法の他の例を示す図
【図２７】最大ブラインド復号回数の決定方法の他の例を示す図
【発明を実施するための形態】
【００１３】
以下、本開示の実施の形態について図面を参照して詳細に説明する。
【００１４】
［最大ブラインド復号回数及び最大CCE数］
PDCCHにおいて、端末（例えば、UE：User Equipment）が１スロットにおいてブラインド復号可能な数（以下、「最大ブラインド復号回数」と呼ぶ）、及び、チャネル推定可能なCCE（Control Channel Element）数（以下、「最大CCE数」と呼ぶ）が設けられている。
【００１５】
最大ブラインド復号回数及び最大CCE数が多いほど、端末は、多くのPDCCHを受信できる機会が増加する一方、端末の処理時間が増加する。そのため、端末の処理時間の要求条件を超えないように最大ブラインド復号回数及び最大CCE数を決定する必要がある。
【００１６】
［SCSが異なるcross-carrier scheduling］
Cross-carrier schedulingでは、スケジューリングするCC（以下、「scheduling CC」と呼ぶ）と、スケジューリングされるCC（以下、「scheduled CC」と呼ぶ）とにおいて、SCSが異なる場合がある。
【００１７】
図１は、scheduling CCとscheduled CCとでSCSが異なる例を示す。図１では、CC#1がscheduling CCであり、CC#2がscheduled CCである。図１に示すように、CC#1のSCSは15kHzであるので、スロット長は1msである。また、CC#2のSCSは30kHzであるので、スロット長は0.5msである。図１に示すように、scheduling CCであるCC#1では、scheduled CCであるCC#2のスケジューリングのためのPDCCHが送信される。また、scheduling CCであるCC#1では、CC#1のスケジューリングのためのPDCCHが送信されてもよい。
【００１８】
このように、Cross-carrier schedulingにおいて、scheduling CCでは、scheduling CC及びscheduled CCに対するスケジューリング情報を含むPDCCHが送信される。一方、Cross-carrier schedulingにおいて、scheduled CCでは、PDCCHが送信されない。
【００１９】
また、端末に割り当てられるCCのうち、どのCCがscheduling CCであり、どのCCがscheduled CCかについては端末毎に設定される。
【００２０】
Cross-carrier schedulingにおいて、scheduling CCとscheduled CCとでSCSが異なる場合における最大ブラインド復号回数及び最大CCE数の設定に関しては十分に検討されていない。
【００２１】
［非キャリア・アグリゲーション時の最大ブラインド復号回数及び最大CCE数］
非キャリア・アグリゲーション（非CA）時における１スロットあたりの最大ブラインド復号回数（例えば、「MPDCCHmax,slot,μ」と表す）及び最大CCE数（例えば、「CPDCCHmax,slot,μ」と表す）は、例えば、図２及び図３のように定義される（例えば、非特許文献３を参照）。図２及び図３において、μは、SCSのインデックスを示す。インデックスμと、SCSと、スロット長との関係の一例を、図４に示す。
【００２２】
図２及び図３に示す最大ブラインド復号回数及び最大CCE数は、１スロットあたりの数である。このため、SCSが高いほど（換言すると、μが大きいほど）、単位時間当たりの最大ブラインド復号回数及び最大CCE数は多くなる。一例として、図２において、SCS=15kHz（μ=0）では最大ブラインド復号回数は、１スロット（換言すると、1ms）あたり４４回（44BDs/1msと表す）である。これに対して、図２において、SCS=30kHz（μ=1）では、最大ブラインド復号回数は、１スロット（換言すると、0.5ms）あたり３６回（36BDs/0.5msと表す）であるので、1msあたりでは７２回（72BDs/1msと表す）である。よって、SCS=30kHzの方が、SCS=15kHzよりも、単位時間あたりの最大ブラインド復号回数が多くなる。他のSCS又は最大CCE数についても同様である。
【００２３】
端末では、SCSが高いほど、単位時間あたりの最大ブラインド復号回数が多くなり、PDCCH受信において高い処理能力が必要となる。例えば、端末において、SCSに依らず、高いSCSに合わせた高い処理能力のハードウェアを用いてPDCCH受信処理した場合、消費電力が高くなる課題がある。一方、端末において、SCSに依らず、低いSCSに合わせた低い処理能力のハードウェアを用いてPDCCH受信処理した場合、ブラインド復号回数が増加すると、要求処理時間内に受信処理が完了しない可能性がある。
【００２４】
したがって、端末では、端末に割り当てられるCCのSCSに合わせたハードウェア（又は動作クロック）を用いて受信処理を行うことにより、消費電力の増加を抑えつつ、要求処理時間内に受信処理が完了するようにすべきである。
【００２５】
［HARQ-ACK送信までの要求処理時間］
キャリア・アグリゲーション時において、端末が、PDSCH（下りデータ）の最後のシンボルを受信してから、PDSCHに対する応答信号であるHARQ-ACK（又は、ACK/NACKと呼ぶ）を送信するまでの時間（「Tproc,1」と表す）は、以下の式（１）のように定義されている。
【数１】
2020031426.tif 000003
ここで、
N1：図５又は図６を参照したシンボル数（例えば、非特許文献４を参照）
d1,1：HARQ-ACKを送信するチャネルに応じた係数（例えば、PUCCHにおいてHARQ-ACKが送信される場合は0、PUSCHにおいてHARQ-ACKが送信される場合は1）
d1,2：PDSCHのmapping type及びPDSCHが送信されたシンボル位置に応じた係数
κ：定数（64）
Tc：定数（Tc=1/(Δfmax・Nf)）（ここで、Δfmax=480・103 Hzであり、Nf=4096）
【００２６】
ただし、図５及び図６において、SCS番号（μ）は、以下のSCSのうち、Tproc,1が最も小さくなるμが選択される。
PDCCHを受信したCCのSCS
PDSCHを受信したCCのSCS
HARQ-ACKを送信するCCのSCS
【００２７】
図５及び図６を参照すると、N1[symbols]は、実時間で比較すると、SCSが低い方（μが小さい方）が大きくなる。例えば、図５において、μ=0（SCS=15kHz）における8シンボル（15 kHzなので、(8/14)*1[ms]=0.57ms）の方が、μ=1（SCS=30kHz）における10シンボル（30kHzなので、(10/14)*0.5ms=0.35ms）よりも時間が長い。
【００２８】
そのため、N1は、端末においてPDCCHを受信したCCのSCS、PDSCHを受信したCCのSCS、及び、HARQ-ACKを送信するCCのSCSのうち、最小のSCSに対応した値が選択される。低いSCSの方が、高いSCSと比較して、端末の処理能力は低くてもよい（例えば、要求処理時間が長く設定される）。端末には、端末に割り当てられるCCのSCSのうち処理能力の低いSCSに対応する要求処理時間が定義されていると言える。
【００２９】
［PUSCH送信までの要求処理時間］
PUSCH送信時（例えば、端末がPDCCHの最後のシンボルを受信してから、PUSCHの最初のシンボルを送信するまでの時間）についても、上述した「HARQ-ACK送信までの要求処理時間」と同様のことが言える（例えば、非特許文献４を参照）。
【００３０】
［端末のブラインド復号能力値について］
端末は、キャリア・アグリゲーション時にブラインド復号できる能力を、4〜16の整数値（例えば、CC数に対応する値）を用いて基地局に通知する（以降、この値を「ブラインド復号能力値」又は「y」と表す）。
【００３１】
例えば、端末は、CC数が４以下の場合、各CCにおいて非キャリア・アグリゲーション時と同様の最大ブラインド復号回数及び最大CCE数をサポートすることが求められる。
【００３２】
一方、端末は、割り当てられたCC数よりもブラインド復号能力値が高い場合、各CC（例えば、cross-carrier schedulingでは、scheduling CCにおける各スケジュール対象となるCC宛のPDCCH）において、非キャリア・アグリゲーション時よりも多い最大ブラインド復号回数及び最大CCE数をサポートすることは想定されていない。
【００３３】
したがって、以下の２つの条件に分けて、最大ブラインド復号回数及び最大CCE数を定義すべきと考えられる。
（条件１）CC数が４以下、又は、CC数がブラインド復号能力値以下の場合
（条件２）CC数が４より多く、かつ、CC数がブラインド復号能力値より多い場合
【００３４】
条件１は、例えば、端末に割り当てられた各CCにおいて端末がPDCCHを復号する能力を十分有している状態と言える。一方、条件２は、例えば、端末に割り当てられた各CCにおいて端末がPDCCHを復号する能力を十分有していない状態と言える。
【００３５】
［scheduling CCのSCSから、最大ブラインド復号回数及び最大CCE数を決定する方法］
cross-carrier schedulingにおいて、scheduling CCのSCSに基づいて、最大ブラインド復号回数及び最大CCE数を決定する方法が提案されている（例えば、非特許文献２の7.1.3.1.2節を参照）。具体的には、以下のような方法が想定される。
【００３６】
＜条件（１）CC数が４以下、又はCC数がブラインド復号能力値以下の場合＞
以下の式（２）により、scheduling CCにおける最大ブラインド復号回数及び最大CCE数が決定される。
X * (Mi or Ni)            (2)
ここで、
X：スケジューリング対象のCC数
Mi：SCS iにおける非CA時の最大ブラインド復号回数（例えば、図２を参照）
Ni：SCS iにおける非CA時の最大CCE数（例えば、図３を参照）
i：scheduling CCのSCSのSCS番号（μ）
【００３７】
決定される最大ブラインド復号回数（X * Mi）又は最大CCE数（X * Ni）が適用される時間長は、例えば、scheduling CCのSCSのスロット長とする。
【００３８】
図７は、最大ブラインド復号回数の算出例を示す。
【００３９】
図７では、１つのscheduling CCのSCS=15kHzであり、２つのscheduled CCのSCS=30kHzの場合（Example 1）と、１つのscheduling CCのSCS=30kHzであり、２つのscheduled CCのSCS=15kHzの場合（Example 2）と、におけるブラインド復号回数（例えば、最大ブラインド復号回数）を示す。
【００４０】
具体的には、Example 1では、最大ブラインド復号回数は、X * Mi= 3CCs * 44BDs/1ms = 132BDs/1msとなる。また、Example 2では、最大ブラインド復号回数は、X * Mi= 3CCs * 36BDs/0.5ms = 108BDs/0.5msとなる。
【００４１】
＜条件（２）：CC数が４より多く、かつ、CC数がブラインド復号能力値より多い場合＞
以下の式（３）により、scheduling CCにおける最大ブラインド復号回数及び最大CCE数が決定される。
Floor{y * (X / T) * (Mi or Ni)}            (3)
ここで、
Floor{}：床関数
y：ブラインド復号能力値
X：スケジューリング対象のCC数
T：端末に割り当てられた全CC数
Mi：SCS iにおける非CA時の最大ブラインド復号回数（例えば、図２を参照）
Ni：SCS iにおける非CA時の最大CCE数（例えば、図３を参照）
i：scheduling CCのSCSのSCS番号
【００４２】
決定される最大ブラインド復号回数（Floor{y * (X / T) * Mi}）又は最大CCE数（Floor{y * (X / T) * Ni}）が適用される時間長は、例えば、scheduling CCのSCSのスロット長とする。
【００４３】
図８は、最大ブラインド復号回数の算出例を示す。
【００４４】
図８では、１つのscheduling CCのSCS=15kHzであり、５つのscheduled CCのSCS=30kHzであり、ブラインド復号能力値y=4の場合（Example 1）と、１つのscheduling CCのSCS=30kHzであり、５つのscheduled CCのSCS=15kHzであり、ブラインド復号能力値y=4の場合（Example 2）と、におけるブラインド復号回数（例えば、最大ブラインド復号回数）を示す。
【００４５】
具体的には、Example 1では、最大ブラインド復号回数は、Floor{y * (X / T) * Mi}= Floor{4 * (3/3) * 44BDs/1ms} = 176BDs/1msとなる。また、Example 2では、最大ブラインド復号回数は、Floor{y * (X / T) * Mi}= Floor{4 * (3/3) * 36BDs/0.5ms = 144BDs/0.5msとなる。
【００４６】
なお、図７及び図８では、最大ブラインド復号回数（Mi）について説明したが、最大CCE数（Ni）についても同様である。
【００４７】
条件（１）及び（２）の何れでも、高いSCSのscheduling CCから低いSCSのscheduled CCにスケジューリングする場合（Example 2）の方が、低いSCSのscheduling CCから高いSCSのscheduled CCにスケジューリングする場合（Example 1）と比較して、単位時間あたりの最大ブラインド復号回数及び最大CCE数が多くなり、端末では高い処理能力が要求されることが分かる。
【００４８】
例えば、図７のExample 2では、1msあたりの最大ブラインド復号回数は216BDs/1msとなり、Example 1のブラインド復号回数132BDs/1msより多い。同様に、図８のExample 2では、1msあたりの最大ブラインド復号回数は288BDs/1msとなり、Example 1のブラインド復号回数176BDs/1msより多い。
【００４９】
一方で、上述したように、「HARQ-ACK送信までの要求処理時間」又は「PUSCH送信までの要求処理時間」は、低いSCSに対応する要求処理時間に合わせて設定される。よって、条件（１）（低いSCSのCCから高いSCSのCCへのスケジューリング）、及び、条件（２）（高いSCSのCCから低いSCSのCCへのスケジューリング）の何れでも、端末での要求処理時間は同一となる。
【００５０】
よって、例えば、図７又は図８のExample 2のように高いSCSのCCから低いSCSのCCへスケジューリングする場合には、端末には、高い処理能力が比較的要求されないSCSに対応する要求処理時間が設定されるのに対して、端末において比較的高い処理能力が要求される最大ブラインド復号回数及び最大CCEが設定される。
【００５１】
したがって、端末の実装によっては、高いSCSのCCから低いSCSのCCへスケジューリングする場合に、端末の要求処理時間を満たせない可能性がある。または、要求処理時間を満たすための端末の高性能化により、端末のコスト又は消費電力が増加する可能性がある。
【００５２】
そこで、以下では、異なるSCSのCCによるcross-carrier schedulingにおいて最大ブラインド復号回数及び最大CCE数を適切に設定する方法について説明する。
【００５３】
［通信システムの概要］
本開示の一実施例に係る通信システムは、端末１００（例えば、UE）及び基地局２００（例えば、gNB）及びを備える。
【００５４】
図９は本開示の一実施例に係る端末１００の一部の構成を示すブロック図である。図９に示す端末１００において、制限判定部１０５は、第１のコンポーネントキャリア（例えば、scheduling CC）及び第２のCC(例えば、scheduled CC)の各々に対するスケジューリング情報が第１のCCで通知される場合、第１のCC及び第２のCCのうち、スケジューリング情報によるスケジュール対象のCCのサブキャリア間隔（SCS）に基づいて、スケジューリング情報をブラインド復号する際の最大ブラインド復号回数（又は最大CCE数）を決定する。抽出部１０２は、最大ブラインド復号回数（又は最大CCE数）に基づいてブラインド復号を行い、スケジューリング情報を抽出する。
【００５５】
［端末の構成］
図１０は、本開示の一実施例に係る端末１００の構成を示すブロック図である。図１０において、端末１００は、受信部１０１と、抽出部１０２と、復調・復号部１０３と、制御情報保持部１０４と、制限判定部１０５と、シグナリング情報生成部１０６と、符号化・変調部１０７と、送信部１０８と、を有する。
【００５６】
受信部１０１は、アンテナを介して受信した受信信号に対してダウンコンバート又はＡ／Ｄ変換等の受信処理を施し、受信信号を抽出部１０２へ出力する。
【００５７】
抽出部１０２は、制限判定部１０５から入力される最大ブラインド復号回数及び最大CCE数を示す情報に基づいて、端末１００にスケジューリングされた無線リソース（例えば、周波数リソース又は時間リソース等）を判定する。抽出部１０２は、判定した無線リソースに基づいてブラインド復号を行い、受信部１０１から入力される受信信号から、例えば、PDCCHの信号（例えば、スケジューリング情報を含む）を抽出する。また、抽出部１０２は、受信信号から、基地局２００からのシグナリング情報を抽出する。例えば、シグナリング情報は、DCI（Downlink Control Information）、MAC（Medium Access Control）又はRRC（Radio Resource Control）の何れかの情報又は複数の組み合わせによって通知されてもよい。抽出部１０２は、抽出した信号を復調・復号部１０３に出力する。
【００５８】
復調・復号部１０３は、抽出部１０２から入力されるPDCCHの信号又はシグナリング情報を復調及び復号する。復調・復号部１０３は、例えば、復号したシグナリング情報に含まれるCCに関する情報を制御情報保持部１０４に出力する。CCに関する情報には、例えば、CC数、各CCのSCS、cross-carrier schedulingにおいてどのCCがscheduling CCであり、どのCCがscheduled CCであるかを示す情報などの割当CC情報が含まれる。
【００５９】
制御情報保持部１０４は、例えば、端末１００のブラインド復号能力値（ｙ）、又は、復調・復号部１０３から入力される割当CC情報を保持する。制御情報保持部１０４が保持する制御情報には、準静的な制御情報、又は、動的な制御情報が含まれる。制御情報保持部１０４は、保持した制御情報を、必要に応じて、制限判定部１０５及びシグナリング情報生成部１０６に出力する。
【００６０】
制限判定部１０５は、制御情報保持部１０４から入力されるブラインド復号能力値及び割当CC情報に基づいて、端末１００宛に送信されるPDCCHのブラインド復号回数及びCCE数を決定する。制限判定部１０５は、決定したブラインド復号回数及びCCE数を示す情報を抽出部１０２に出力する。
【００６１】
シグナリング情報生成部１０６は、例えば、制御情報保持部１０４から入力されるブラインド復号能力値にに基づいて、シグナリング情報を生成し、符号化・変調部１０７に出力する。
【００６２】
符号化・変調部１０７は、シグナリング情報生成部１０６から入力されるシグナリング情報に対して、符号化及び変調を行い、生成した送信信号を送信部１０８に出力する。
【００６３】
送信部１０８は、符号化・変調部１０７から入力される信号に対してＤ／Ａ変換、アップコンバート又は増幅等の送信処理を施し、送信処理により得られた無線信号をアンテナから基地局２００へ送信する。
【００６４】
［基地局の構成］
図１１は、本開示の一実施例に係る基地局２００の構成を示すブロック図である。図１１において、基地局２００は、受信部２０１と、復調・復号部２０２と、CC割当部２０３と、制御情報保持部２０４と、制限判定部２０５と、スケジューリング部２０６と、制御情報生成部２０７と、符号化・変調部２０８と、送信部２０９と、を有する。
【００６５】
受信部２０１は、端末１００から送信された信号をアンテナを介して受信し、受信信号に対してダウンコンバート又はＡ／Ｄ変換等の受信処理を施し、受信処理後の受信信号を復調・復号部２０２へ出力する。
【００６６】
復調・復号部２０２は、受信部２０１から入力される受信信号に対して復調及び復号を行い、復号後の制御情報に含まれるシグナリング情報（例えば、端末１００のブラインド復号能力値を含む）をCC割当部２０３及び制御情報保持部２０４に出力する。
【００６７】
CC割当部２０３は、基地局２００が端末１００に割当可能なCCに関する情報、及び、復調・復号部２０２から入力されるシグナリング情報に含まれる端末１００のブラインド復号能力値に基づいて、端末１００へ割り当てるCC（例えば、CC数、又は、SCS等）を決定する。CC割当部２０３は、決定した割当CCを示す割当CC情報を制御情報保持部２０４およびスケジューリング部２０６に出力する。
【００６８】
制御情報保持部２０４は、例えば、復調・復号部２０２から入力される端末１００のブラインド復号能力値、及び、CC割当部２０３から入力される割当CC情報を保持し、保持した制御情報を必要に応じて制限判定部２０５に出力する。
【００６９】
制限判定部２０５は、制御情報保持部２０４から入力されるブラインド復号能力値及び割当CC情報に基づいて、端末１００宛に送信されるPDCCHのブラインド復号回数及びCCE数を判定する。制限判定部２０５は、判定したブラインド復号回数及びCCE数を示す情報をスケジューリング部２０６に出力する。
【００７０】
スケジューリング部２０６は、例えば、CC割当部２０３から入力される割当CC情報、及び、制限判定部２０５から入力されるブラインド復号回数及びCCE数を示す情報に基づいて、端末１００宛ての制御情報（例えば、PDCCH）の送信のためのスケジューリング（例えば、周波数リソース及び送信タイミングの決定等）を行う。スケジューリング部２０６は、スケジューリング結果（例えば、リソース割当結果等）を示すスケジューリング情報を制御情報生成部２０７に出力する。
【００７１】
制御情報生成部２０７は、スケジューリング部２０６から入力されるスケジューリング情報に基づいて、端末１００宛てのPDCCHの信号を生成し、生成したPDCCH信号を符号化・変調部２０８に出力する。また、制御情報生成部２０７は、例えば、制御情報保持部２０４から入力される割当CC情報を含むシグナリング情報を生成し、符号化・変調部２０８に出力する。
【００７２】
符号化・変調部２０８は、制御情報生成部２０７から入力される制御情報を符号化し、符号化後の信号を変調し、変調後の信号（シンボル系列）を送信部２０９に出力する。
【００７３】
送信部２０９は、符号化・変調部２０８から入力される信号に対してＤ／Ａ変換、アップコンバート又は増幅等の送信処理を施し、送信処理により得られた無線信号をアンテナから端末１００へ送信する。
【００７４】
［端末１００及び基地局２００の動作］
以上の構成を有する端末１００及び基地局２００における動作について詳細に説明する。
【００７５】
図１２は端末１００及び基地局２００の動作を示すシーケンス図である。
【００７６】
端末１００は、例えば、端末１００のブラインド復号能力値(y)を含むシグナリング情報を基地局２００へ送信する（ＳＴ１０１）。
【００７７】
基地局２００は、例えば、端末１００のブラインド復号能力値に基づいて、端末１００に割り当てるCC（CC数、及び、SCS等）を決定する（ＳＴ１０２）。基地局２００は、決定したCCを示す割当CC情報を含むシグナリング情報を端末１００へ送信する（ＳＴ１０３）。
【００７８】
端末１００は、例えば、端末１００のブラインド復号能力値、及び、基地局２００から通知される割当CC情報に基づいて、PDCCH受信におけるブラインド復号回数及びCCE数を決定する（ＳＴ１０４）。
【００７９】
基地局２００は、例えば、端末１００のブラインド復号能力値に基づいて、端末１００に割り当てるCC（CC数、及び、SCS等）を決定し、端末１００宛てのPDCCH信号のスケジューリングを行い、PDCCH信号を端末１００へ送信する（ＳＴ１０５）。端末１００は、決定したブラインド復号回数及びCCE数に基づいて、基地局２００から送信されるPDCCHの信号を受信（例えば、ブラインド復号）する（ＳＴ１０６）。
【００８０】
［ブラインド復号回数及びCCE数の決定方法］
次に、端末１００（制限判定部１０５）及び基地局２００（制限判定部２０５）における、端末１００のブラインド復号回数及びCCE数の決定方法について説明する。
【００８１】
端末１００及び基地局２００は、cross-carrier schedulingにおいて、端末１００に割り当てられるCCのうち、少なくとも、スケジュール対象のCCのSCSに基づいて、端末１００における要求処理時間を満たすようにブラインド復号回数及びCCE数を決定する。
【００８２】
なお、「スケジュール対象のCC」には、scheduling CCにおけるPDCCHによってスケジューリングされるscheduled CCに加え、scheduling CCにおけるPDCCHによってスケジューリングされるscheduling CCも含む。
【００８３】
［決定方法１］
決定方法１では、端末１００及び基地局２００は、scheduling CCにおいて通知されるスケジューリング情報（換言するとPDCCH）によるスケジュール対象のCCのSCSに対応付けられたブラインド復号回数及びCCE数を用いて、最大ブラインド復号回数及び最大CCE数を決定する。
【００８４】
＜（条件１）CC数が４以下、又は、CC数がブラインド復号能力値以下の場合＞
以下の式（４）により、scheduling CCにおけるSCS毎の最大ブラインド復号回数及び最大CCE数が決定される。
Xi * (Mi or Ni)            (4)
ここで、
Xi：SCS iにおけるスケジューリング対象のCC数
Mi：SCS iにおける非CA時の最大ブラインド復号回数（例えば、図２を参照）
Ni：SCS iにおける非CA時の最大CCE数（例えば、図３を参照）
i：スケジュール対象のCC（scheduled CC又はscheduling CC）のSCSのSCS番号
【００８５】
決定されるSCS毎の最大ブラインド復号回数（Xi * Mi）及び最大CCE数（Xi * Ni）が適用される時間長は、例えば、スケジュール対象のCCのSCSのスロット長とする。
【００８６】
図１３は、決定方法１に基づく最大ブラインド復号回数の算出例を示す。
【００８７】
図１３では、１つのscheduling CCのSCS=15kHzであり、２つのscheduled CCのSCS=30kHzの場合（Example 1）と、１つのscheduling CCのSCS=30kHzであり、２つのscheduled CCのSCS=15kHzの場合（Example 2）と、におけるブラインド復号回数（例えば、最大ブラインド復号回数）を示す。
【００８８】
具体的には、Example 1では、SCS=15kHzのスケジュール対象のCC（i=0。図１３では、１つのscheduling CC）に対するブラインド復号回数は、X0 * M0= 1CCs * 44BDs/1ms = 44BDs/1msとなる。また、Example 1では、SCS=30kHzのスケジュール対象のCC（i=1。図１３では、２つのscheduled CC）に対するブラインド復号回数は、X1 * M1= 2CCs * 36BDs/0.5ms =72BDs/0.5msとなる。
【００８９】
また、Example 2では、SCS=15kHzのスケジュール対象のCC（i=0。図１３では、２つのscheduled CC）に対するブラインド復号回数は、X0 * M0= 2CCs * 44BDs/1ms = 88BDs/1msとなる。また、Example 2では、SCS=30kHzのスケジュール対象のCC（i=1。図１３では、１つのscheduling CC）に対するブラインド復号回数は、X1 * M1= 1CCs * 36BDs/0.5ms =36BDs/0.5msとなる。
【００９０】
＜条件（２）CC数が４より多く、かつ、CC数がブラインド復号能力値より多い場合＞
以下の式（５）により、scheduling CCにおけるSCS毎の最大ブラインド復号回数及び最大CCE数が決定される。
Floor{y * (Xi / T) * (Mi or Ni)}            (5)
ここで、
Floor{}：床関数
y：ブラインド復号能力値
Xi：SCS iにおけるスケジューリング対象のCC数
T：端末に割り当てられた全CC数
Mi：SCS iにおける非CA時の最大ブラインド復号回数（例えば、図２を参照）
Ni：SCS iにおける非CA時の最大CCE数（例えば、図３を参照）
i：スケジュール対象のCCのSCSのSCS番号
【００９１】
決定されるSCS毎の最大ブラインド復号回数（Floor{y * (Xi / T) * Mi}）及び最大CCE数（Floor{y * (Xi / T) * Ni}）が適用される時間長は、例えば、スケジュール対象のCCのSCSのスロット長とする。
【００９２】
図１４は、決定方法１に基づく最大ブラインド復号回数の算出例を示す。
【００９３】
図１４では、１つのscheduling CCのSCS=15kHzであり、５つのscheduled CCのSCS=30kHzであり、ブラインド復号能力値y=4の場合（Example 1）と、１つのscheduling CCのSCS=30kHzであり、５つのscheduled CCのSCS=15kHzであり、ブラインド復号能力値y=4の場合（Example 2）と、におけるブラインド復号回数（例えば、最大ブラインド復号回数）を示す。
【００９４】
具体的には、Example 1では、SCS=15kHzのスケジュール対象のCC（i=0。図１４では、１つのscheduling CC）に対するブラインド復号回数は、Floor{y * (X0 / T) * M0}= Floor{4 * (1/6) * 44BDs/1ms} = 29BDs/1msとなる。また、Example 1では、SCS=30kHzのスケジュール対象のCC（i=1。図１４では、５つのscheduled CC）に対するブラインド復号回数は、Floor{y * (X1 / T) * M1}= Floor{4 * (5/6) * 36BDs/0.5ms} = 120BDs/0.5msとなる。
【００９５】
また、Example 2では、SCS=15kHzのスケジュール対象のCC（i=0。図１４では、５つのscheduled CC）に対するブラインド復号回数は、Floor{y * (X0 / T) * M0}= Floor{4 * (5/6) * 44BDs/1ms} = 146BDs/1msとなる。また、Example 2では、SCS=30kHzのスケジュール対象のCC（i=1。図１４では、１つのscheduling CC）に対するブラインド復号回数は、Floor{y * (X1 / T) * M1}= Floor{4 * (1/6) * 36BDs/0.5ms} = 24BDs/0.5msとなる。
【００９６】
なお、図１３及び図１４では、最大ブラインド復号回数（換言すると、Mi）について説明したが、最大CCE数（換言すると、Ni）についても同様である。
【００９７】
決定方法１では、スケジュール対象のCCのSCS毎に異なる最大ブラインド復号回数及び最大CCE数を適用できる。また、最大ブラインド復号回数及び最大CCE数を適用する処理単位（時間長）をスケジュール対象のCCのSCSに合わせて設定できる。
【００９８】
よって、決定方法１によれば、スケジュール対象のCCのSCSに応じた処理能力及び処理単位で受信を行う端末１００において、要求処理時間を満たす最大ブラインド復号回数及び最大CCE数を決定できる。
【００９９】
例えば、図１３又は図１４のExample 2のように高いSCSのCCから低いSCSのCCへスケジューリングする場合、決定方法１では、スケジュール対象である低いSCSのCCに対して、当該低いSCSに対応する最大ブラインド復号回数及び最大CCE数が設定される。
【０１００】
よって、高いSCSのCCから低いSCSのCCへスケジューリングする場合でも、端末１００は、スケジュール対象のCCの低いSCSに応じた最大ブラインド復号回数及び最大CCE数に基づいてPDCCHのブラインド復号を行うことができるので、端末１００の要求処理時間を満すことができる。よって、決定方法１によれば、端末１００のコスト又は消費電力を増加させずに、端末１００の要求処理時間を満たすことができる。
【０１０１】
［決定方法２］
決定方法２では、端末１００及び基地局２００は、scheduling CCにおいて通知されるスケジューリング情報（換言するとPDCCH）によるスケジュール対象のCCのSCSに対応付けられたブラインド復号回数及びCCE数（例えば、決定方法１によって決定される最大ブラインド復号回数及び最大CCE数）以下の値（ブラインド復号回数及びCCE数）を用いて、最大ブラインド復号回数及び最大CCE数を決定する。
【０１０２】
例えば、決定方法１（例えば、図１３及び図１４を参照）では、低いSCSのCCから高いSCSのCCへのスケジューリングの場合（例えば、図１３及び図１４のExample 1）、スケジュール対象のCCである高いSCS（図１３及び図１４ではSCS=30kHz）のCCに対応付けられた最大ブラインド復号回数及び最大CCE数が用いられる。
【０１０３】
一方で、上述したように、「HARQ-ACK送信までの要求処理時間」又は「PUSCH送信までの要求処理時間」は、HARQ-ACK送信又はPUSCH送信に関係するCCのSCSのうち、低いSCS（例えば、図１３及び図１４ではSCS=15kHz）に合わせて定義される。
【０１０４】
したがって、低いSCSのCCから高いSCSのCCへのスケジューリングの場合には、低いSCS（換言すると、scheduling CCのSCS）に合わせて最大ブラインド復号回数及び最大CCE数を設定することがよい。換言すると、低いSCSのCCから高いSCSのCCへのスケジューリングの場合には、高いSCS（換言すると、スケジュール対象のCCのSCS）に基づいて決定する場合（例えば、決定方法１）と比較して、最大ブラインド復号回数及び最大CCE数を更に低減することがよい。
【０１０５】
以下、最大ブラインド復号回数及び最大CCE数の決定方法２−１、２−２、２−３及び２−４について説明する。
【０１０６】
［決定方法２−１］
決定方法２−１では、端末１００及び基地局２００は、scheduling CCにおいて通知されるスケジューリング情報（換言するとPDCCH）によるスケジュール対象のCCのSCSがscheduling CCのSCSよりも高い場合、scheduling CCのSCSに対応付けられたブラインド復号回数及びCCE数を用いて、当該スケジュール対象のCCに対する最大ブラインド復号回数及び最大CCE数を決定する。
【０１０７】
一方、端末１００及び基地局２００は、scheduling CCによるスケジュール対象のCCのSCSがscheduling CCのSCSよりも高くない場合、例えば、決定方法１と同様、スケジュール対象のCCのSCSに対応付けられたブラインド復号回数及びCCE数を用いて、最大ブラインド復号回数及び最大CCE数を決定する。
【０１０８】
＜条件（１）CC数が４以下、又は、CC数がブラインド復号能力値以下の場合＞
以下の式（６）により、scheduling CCにおけるSCS毎の最大ブラインド復号回数及び最大CCE数が決定される。
Xi * (Mj or Nj)            (6)
ここで、
Xi：SCS iにおけるスケジューリング対象のCC数
Mj：SCS jにおける非CA時の最大ブラインド復号回数（例えば、図２を参照）
Nj：SCS jにおける非CA時の最大CCE数（例えば、図３を参照）
i：スケジュール対象のCCのSCSのSCS番号
j：スケジュール対象のCCのSCS(i)がscheduling CCのSCSよりも高い場合、scheduling CCのSCS番号。スケジュール対象のCCのSCSがscheduling CCのSCSよりも高くない場合、スケジュール対象のCCのSCS番号(j=i)。
【０１０９】
決定されるSCS毎の最大ブラインド復号回数（Xi * Mj）及び最大CCE数（Xi * Nj）が適用される時間長は、例えば、SCS jのスロット長とする。
【０１１０】
図１５は、決定方法２−１に基づく最大ブラインド復号回数の算出例を示す。
【０１１１】
図１５では、１つのscheduling CCのSCS=15kHzであり、２つのscheduled CCのSCS=30kHzの場合（Example 1）と、１つのscheduling CCのSCS=30kHzであり、２つのscheduled CCのSCS=15kHzの場合（Example 2）と、におけるブラインド復号回数（例えば、最大ブラインド復号回数）を示す。
【０１１２】
図１５において、スケジュール対象のCCのSCSがscheduling CCのSCSよりも高くなる場合は、Example 1（scheduling CCのSCS=15kHz）において、SCS=30kHzのschdeduled CCをスケジュール対象のCCとする場合（点線で囲む部分）である。この場合、式（６）において、j=0（scheduling CCのSCS番号）である。よって、図１５に示すように、Example 1では、SCS=30kHzのスケジュール対象のCC（i=1、j=0。図１５では、２つのscheduled CC）に対するブラインド復号回数は、X1 * M0= 2CCs * 44BDs/1ms =88BDs/1msとなる。
【０１１３】
ここで、決定方法２−１（図１５）と、決定方法１（図１３）とを比較する。スケジュール対象のCCのSCSがscheduling CCのSCSよりも高くなる場合（Example 1のスケジュール対象のCCが30kHz CCの場合）、最大ブラインド復号回数は、決定方法１では72BDs/0.5msであるのに対して、決定方法２−１では88BDs/1ms、つまり、44BDs/0.5msである。このように、決定方法２−１では、スケジュール対象のCCのSCSがscheduling CCのSCSよりも高くなる場合における最大ブラインド復号回数を、決定方法１と比較して低減できる。
【０１１４】
なお、図１５において、上記以外では、スケジュール対象のCCのSCSがscheduling CCのSCSよりも高くない場合に該当し（つまり、j=i）、決定方法１（例えば、図１３）と同一の最大ブラインド復号回数が決定される。
【０１１５】
＜条件（２）CC数が４より多く、かつ、CC数がブラインド復号能力値より多い場合＞
以下の式（７）により、scheduling CCにおけるSCS毎の最大ブラインド復号回数及び最大CCE数が決定される。
Floor{y * (Xi / T) * (Mj or Nj)}            (7)
ここで、
Floor{}：床関数
y：ブラインド復号能力値
Xi：SCS iにおけるスケジューリング対象のCC数
T：端末に割り当てられた全CC数
Mj：SCS jにおける非CA時の最大ブラインド復号回数（例えば、図２を参照）
Nj：SCS jにおける非CA時の最大CCE数（例えば、図３を参照）
i：スケジュール対象のCCのSCSのSCS番号
j：スケジュール対象のCCのSCS(i)がscheduling CCのSCSよりも高い場合、scheduling CCのSCS番号。スケジュール対象のCCのSCSがscheduling CCのSCSよりも高くない場合、スケジュール対象のCCのSCS番号(j=i)。
【０１１６】
決定されるSCS毎の最大ブラインド復号回数（Floor{y * (Xi / T) * Mj}）及び最大CCE数（Floor{y * (Xi / T) * Nj}）が適用される時間長は、例えば、SCS jのスロット長とする。
【０１１７】
図１６は、決定方法２−１に基づく最大ブラインド復号回数の算出例を示す。
【０１１８】
図１６では、１つのscheduling CCのSCS=15kHzであり、５つのscheduled CCのSCS=30kHzであり、ブラインド復号能力値y=4の場合（Example 1）と、１つのscheduling CCのSCS=30kHzであり、５つのscheduled CCのSCS=15kHzであり、ブラインド復号能力値y=4の場合（Example 2）と、におけるブラインド復号回数（例えば、最大ブラインド復号回数）を示す。
【０１１９】
図１６において、スケジュール対象のCCのSCSがscheduling CCのSCSよりも高くなる場合は、Example 1（scheduling CCのSCS=15kHz）において、SCS=30kHzのschdeduled CCをスケジュール対象のCCとする場合（点線で囲む部分）である。この場合、式（７）において、j=0（scheduling CCのSCS番号）である。よって、図１６に示すように、Example 1では、SCS=30kHzのスケジュール対象のCC（i=1、j=0。図１６では、５つのscheduled CC）に対するブラインド復号回数は、Floor{y * (X1 / T) * M0}= Floor{4 * (5/6) * 44BDs/1ms} = 146BDs/1msとなる。
【０１２０】
ここで、決定方法２−１（図１６）と、決定方法１（図１４）とを比較する。スケジュール対象のCCのSCSがscheduling CCのSCSよりも高くなる場合（Example 1のスケジュール対象のCCが30kHz CCの場合）、最大ブラインド復号回数は、決定方法１では120BDs/0.5msであるのに対して、決定方法２−１では146BDs/1ms、つまり、73BDs/0.5msである。このように、決定方法２−１では、スケジュール対象のCCのSCSがscheduling CCのSCSよりも高くなる場合における最大ブラインド復号回数を、決定方法１と比較して低減できる。
【０１２１】
なお、図１６において、上記以外では、スケジュール対象のCCのSCSがscheduling CCのSCSよりも高くない場合に該当し（つまり、j=i）、決定方法１（例えば、図１４）と同一の最大ブラインド復号回数が決定される。
【０１２２】
また、図１５及び図１６では、最大ブラインド復号回数（換言すると、Mj）について説明したが、最大CCE数（換言すると、Nj）についても同様である。
【０１２３】
決定方法２−１によれば、低いSCSのscheduling CCから、高いSCSのスケジュール対象のCCへのスケジューリングの場合に、低いSCSのscheduling CCのSCSに合わせて最大ブラインド復号回数及び最大CCE数が決定されることにより、決定方法１と比較して、最大ブラインド復号回数及び最大CCE数を低減できる。これにより、低いSCSのscheduling CCから、高いSCSのスケジュール対象のCCへのスケジューリングの場合において、端末１００の要求処理時間に対して高い処理能力が要求される最大ブラインド復号回数及び最大CCE数が設定されることを防止できる。
【０１２４】
よって、決定方法２−１によれば、決定方法１よりも、最大ブラインド復号回数及び最大CCE数を低減でき、端末１００では要求処理時間をより満たしやすくなる。
【０１２５】
ところで、高いSCSのscheduling CCから低いSCSのスケジュール対象のCCへのスケジューリングの場合（図１５及び図１６の例では、Example 2）、高いSCSのスケジュール対象CC（換言すると、scheduling CC）に対して高いSCS（図１５及び図１６ではSCS=30kHz）に基づいて最大ブラインド復号回数及び最大CCE数が決定される。
【０１２６】
ただし、端末１００が、scheduling CCに対して、scheduling CCの高いSCSに対応するブラインド復号能力を有している前提であれば、scheduling CCに対して高いSCSに基づいて最大ブラインド復号回数及びCCE数が決定されても問題無いと言える。換言すると、端末１００が、高いSCSのscheduling CCにおいて、scheduled CCの低いSCSに合わせて低い処理能力によって復調・復号しない前提であれば、scheduling CCに対して高いSCSに基づいて最大ブラインド復号回数及びCCE数が決定されても問題無いと言える。
【０１２７】
［決定方法２−２］
決定方法２−２では、端末１００及び基地局２００は、scheduling CCにおいて通知されるスケジューリング情報（換言するとPDCCH）によるスケジュール対象のCCにおいて、scheduling CCのSCSとスケジュール対象のCCのSCSとを比較し、低い方のSCSに対応付けられたブラインド復号回数及びCCE数を用いて、最大ブラインド復号回数及び最大CCE数を決定する。
【０１２８】
＜条件（１）CC数が４以下、又は、CC数がブラインド復号能力値以下の場合＞
以下の式（８）により、scheduling CCにおけるSCS毎の最大ブラインド復号回数及び最大CCE数が決定される。
Xi * (Mj or Nj)            (8)
ここで、
Xi：SCS iにおけるスケジューリング対象のCC数
Mj：SCS jにおける非CA時の最大ブラインド復号回数（例えば、図２を参照）
Nj：SCS jにおける非CA時の最大CCE数（例えば、図３を参照）
i：スケジュール対象のCCのSCSのSCS番号
j：scheduling CCのSCS及びスケジュール対象のCCのSCSのうち、低いSCSのSCS番号
【０１２９】
決定されるSCS毎の最大ブラインド復号回数（Xi * Mj）及び最大CCE数（Xi * Nj）が適用される時間長は、例えば、SCS jのスロット長とする。
【０１３０】
図１７は、決定方法２−２に基づく最大ブラインド復号回数の算出例を示す。
【０１３１】
図１７では、１つのscheduling CCのSCS=15kHzであり、２つのscheduled CCのSCS=30kHzの場合（Example 1）と、１つのscheduling CCのSCS=30kHzであり、２つのscheduled CCのSCS=15kHzの場合（Example 2）と、におけるブラインド復号回数（例えば、最大ブラインド復号回数）を示す。
【０１３２】
よって、Example 1及びExample 2において、scheduling CCのSCS及びスケジュール対象のCCのSCSのうち、低いSCSのSCS番号jは、何れもj=0となる（SCS=15kHzに対応）。
【０１３３】
具体的には、Example 1では、SCS=15kHzのスケジュール対象のCC（i=0、j=0。図１７では、１つのscheduling CC）に対するブラインド復号回数は、X0 * M0= 1CCs * 44BDs/1ms = 44BDs/1msとなる。また、Example 1では、SCS=30kHzのスケジュール対象のCC（i=1、j=0。図１７では、２つのscheduled CC）に対するブラインド復号回数は、X1 * M0= 2CCs * 44BDs/1ms =88BDs/1msとなる。
【０１３４】
また、Example 2では、SCS=15kHzのスケジュール対象のCC（i=0、j=0。図１７では、２つのscheduled CC）に対するブラインド復号回数は、X0 * M0= 2CCs * 44BDs/1ms = 88BDs/1msとなる。また、Example 2では、SCS=30kHzのスケジュール対象のCC（i=1、j=0。図１７では、１つのscheduling CC）に対するブラインド復号回数は、X1 * M0= 1CCs * 44BDs/1ms =44BDs/1msとなる。
【０１３５】
ここで、決定方法２−２（図１７）と、決定方法２−１（図１５）とを比較すると、Example 2のSCS=30kHzのスケジュール対象のCC（換言すると、スケジュール対象のCCがscheduling CCの場合）に対するブラインド復号回数は、決定方法２−１では36BDs/0.5msであるのに対して、決定方法２−２では44BDs/1ms、つまり、22BDs/0.5msである。
【０１３６】
このように、決定方法２−２では、決定方法２−１と比較して、最大ブラインド復号回数を低減できる。換言すると、決定方法２−２では、決定方法１（例えば、図１３）と比較して、スケジュール対象のCCのSCSが高い場合（例えば、図１３及び図１７では30kHz）におけるブラインド復号回数を低減できる。
【０１３７】
＜条件（２）CC数が４より多く、かつ、CC数がブラインド復号能力値より多い場合＞
以下の式（９）により、scheduling CCにおけるSCS毎の最大ブラインド復号回数及び最大CCE数が決定される。
Floor{y * (Xi / T) * (Mj or Nj)}            (9)
ここで、
Floor{}：床関数
y：ブラインド復号能力値
Xi：SCS iにおけるスケジューリング対象のCC数
T：端末に割り当てられた全CC数
Mj：SCS jにおける非CA時の最大ブラインド復号回数（例えば、図２を参照）
Nj：SCS jにおける非CA時の最大CCE数（例えば、図３を参照）
i：スケジュール対象のCCのSCSのSCS番号
j：scheduling CCのSCS及びスケジュール対象のCCのSCSのうち、低いSCSのSCS番号
【０１３８】
決定されるSCS毎の最大ブラインド復号回数（Floor{y * (Xi / T) * Mj}）及び最大CCE数（Floor{y * (Xi / T) * Nj}）が適用される時間長は、例えば、SCS jのスロット長とする。
【０１３９】
図１８は、決定方法２−２に基づく最大ブラインド復号回数の算出例を示す。
【０１４０】
図１８では、１つのscheduling CCのSCS=15kHzであり、５つのscheduled CCのSCS=30kHzであり、ブラインド復号能力値y=4の場合（Example 1）と、１つのscheduling CCのSCS=30kHzであり、５つのscheduled CCのSCS=15kHzであり、ブラインド復号能力値y=4の場合（Example 2）と、におけるブラインド復号回数（例えば、最大ブラインド復号回数）を示す。
【０１４１】
よって、Example 1及びExample 2において、scheduling CCのSCS及びスケジュール対象のCCのSCSのうち、低いSCSのSCS番号jは、何れもj=0となる（SCS=15kHzに対応）。
【０１４２】
具体的には、Example 1では、SCS=15kHzのスケジュール対象のCC（i=0、j=0。図１８では、１つのscheduling CC）に対するブラインド復号回数は、Floor{y * (X0 / T) * M0}= Floor{4 * (1/6) * 44BDs/1ms} = 29BDs/1msとなる。また、Example 1では、SCS=30kHzのスケジュール対象のCC（i=1、j=0。図１８では、５つのscheduled CC）に対するブラインド復号回数は、Floor{y * (X1 / T) * M0}= Floor{4 * (5/6) * 44BDs/1ms} = 146BDs/1msとなる。
【０１４３】
また、Example 2では、SCS=15kHzのスケジュール対象のCC（i=0、j=0。図１８では、５つのscheduled CC）に対するブラインド復号回数は、Floor{y * (X0 / T) * M0}= Floor{4 * (5/6) * 44BDs/1ms} = 146BDs/1msとなる。また、Example 2では、SCS=30kHzのスケジュール対象のCC（i=1、j=0。図１８では、１つのscheduling CC）に対するブラインド復号回数は、Floor{y * (X1 / T) * M0}= Floor{4 * (1/6) * 44BDs/1ms} = 29BDs/1msとなる。
【０１４４】
ここで、決定方法２−２（図１８）と、決定方法２−１（図１６）とを比較すると、Example 2のSCS=30kHzのスケジュール対象のCC（換言すると、スケジュール対象のCCがscheduling CCの場合）に対するブラインド復号回数は、決定方法２−１では24BDs/0.5ms、つまり、48BDs/1msであるのに対して、決定方法２−２では29BDs/1msである。
【０１４５】
このように、決定方法２−２では、決定方法２−１と比較して、最大ブラインド復号回数を低減できる。換言すると、決定方法２−２では、決定方法１（例えば、図１４）と比較して、スケジュール対象のCCのSCSが高い場合（例えば、図１４及び図１８では30kHz）におけるブラインド復号回数を低減できる。
【０１４６】
なお、図１７及び図１８では、最大ブラインド復号回数（換言すると、Mj）について説明したが、最大CCE数（換言すると、Nj）についても同様である。
【０１４７】
このように、決定方法２−２によれば、決定方法２−１よりも、最大ブラインド復号回数及び最大CCE数を低減でき、端末１００では要求処理時間をより満たしやすくなる。
【０１４８】
［決定方法２−３］
決定方法２−３では、端末１００及び基地局２００は、scheduling CCにおいて通知されるスケジューリング情報（換言するとPDCCH）によるスケジュール対象のCCのSCSのうち、最小のSCSに対応付けられたブラインド復号回数及びCCE数を用いて、最大ブラインド復号回数及び最大CCE数を決定する。
【０１４９】
＜条件（１）CC数が４以下、又は、CC数がブラインド復号能力値以下の場合＞
以下の式（１０）により、scheduling CCにおける最大ブラインド復号回数及び最大CCE数が決定される。
X * (Mi or Ni)            (10)
ここで、
X：スケジューリング対象のCC数
Mi：SCS iにおける非CA時の最大ブラインド復号回数（例えば、図２を参照）
Ni：SCS iにおける非CA時の最大CCE数（例えば、図３を参照）
i：scheduling CCにおけるスケジュール対象CCのSCSのうち、最小SCSのSCS番号
【０１５０】
決定される最大ブラインド復号回数（X * Mi）及び最大CCE数（X * Ni）が適用される時間長は、例えば、SCS iのスロット長とする。
【０１５１】
図１９は、決定方法２−３に基づく最大ブラインド復号回数の算出例を示す。
【０１５２】
図１９では、１つのscheduling CCのSCS=15kHzであり、２つのscheduled CCのSCS=30kHz及び60kHzの場合（Example 1）と、１つのscheduling CCのSCS=30kHzであり、２つのscheduled CCのSCS=15kHz及び60kHzの場合（Example 2）と、におけるブラインド復号回数（例えば、最大ブラインド復号回数）を示す。
【０１５３】
よって、Example 1及びExample 2において、スケジュール対象のCC（scheduling CCを含む）のSCSのうち、最小SCSのSCS番号iは、何れもi=0となる（SCS=15kHzに対応）。
【０１５４】
具体的には、Example 1及びExample 2では、ブラインド復号回数は、X * M0= 3CCs * 44BDs/1ms = 132BDs/1msとなる。
【０１５５】
＜条件（２）CC数が４より多く、かつ、CC数がブラインド復号能力値より多い場合＞
以下の式（１１）により、scheduling CCにおける最大ブラインド復号回数及び最大CCE数が決定される。
Floor{y * (X / T) * (Mi or Ni)}            (11)
ここで、
Floor{}：床関数
y：ブラインド復号能力値
X：スケジューリング対象のCC数
T：端末に割り当てられた全CC数
Mi：SCS iにおける非CA時の最大ブラインド復号回数（例えば、図２を参照）
Ni：SCS iにおける非CA時の最大CCE数（例えば、図３を参照）
i：scheduling CCにおけるスケジュール対象のCCのSCSのうち、最小SCSのSCS番号
【０１５６】
決定される最大ブラインド復号回数（Floor{y * (X / T) * Mi}）及び最大CCE数（Floor{y * (X / T) * Ni}）が適用される時間長は、例えば、SCS iのスロット長とする。
【０１５７】
図２０は、決定方法２−３に基づく最大ブラインド復号回数の算出例を示す。
【０１５８】
図２０では、１つのscheduling CCのSCS=15kHzであり、３つのscheduled CCのSCS=30kHzであり、２つのscheduled CCのSCS=60kHzであり、ブラインド復号能力値y=4の場合（Example 1）と、１つのscheduling CCのSCS=30kHzであり、３つのscheduled CCのSCS=15kHzであり、２つのscheduled CCのSCS=60kHzであり、ブラインド復号能力値y=4の場合（Example 2）と、におけるブラインド復号回数（例えば、最大ブラインド復号回数）を示す。
【０１５９】
よって、Example 1及びExample 2において、スケジュール対象のCC（scheduling CCを含む）のSCSのうち、最小SCSのSCS番号iは、何れもi=0となる（SCS=15kHzに対応）。
【０１６０】
具体的には、Example 1及びExample 2では、ブラインド復号回数は、Floor{y * (X / T) * M0}= Floor{4 * (6/6) * 44BDs/1ms} = 176BDs/1msとなる。
【０１６１】
決定方法２−３では、scheduling CCがスケジュールできるスケジュール対象のCCのSCSのうち、最小SCSに基づいてブラインド復号回数及びCCE数が決定される。例えば、図１９又は図２０のExample 2では、スケジュール対象のCCの全てについて、最小SCS（例えば、SCS=15kHz）に基づいてブラインド復号回数が決定される。
【０１６２】
例えば、決定方法２−３と、決定方法２−２（scheduling CCのSCSとスケジュール対象のCCのSCSのうち低いSCSに基づく方法）とを比較する。仮に、端末１００に対して図１９又は図２０のExample 2と同様のCC（SCS=15kHz、30kHz及び60kHz）が割り当てられた場合、決定方法２−２では、scheduling CCのSCS=30kHzと、スケジュール対象CCのSCS=60kHzとの間では、SCS=30kHzに基づいてブラインド復号回数が決定されるのに対して、決定方法２−３では、SCS=15kHzに基づいてブラインド復号回数が決定される。よって、決定方法２−３では、決定方法２−２と比較して、ブラインド復号回数をより低減できる。
【０１６３】
このように、決定方法２−３によれば、決定方法２−２よりも、最大ブラインド復号回数及び最大CCE数を低減でき、端末１００では要求処理時間をより満たしやすくなる。
【０１６４】
［決定方法２−４］
決定方法２−４では、端末１００及び基地局２００は、scheduling CCにおいて通知されるスケジューリング情報（換言するとPDCCH）によるスケジュール対象のCCのSCSに対応付けられたブラインド復号回数及びCCE数を用いて、最大ブラインド復号回数及び最大CCE数を決定する。
【０１６５】
また、決定方法２−４では、スケジュール対象のCCのSCSがscheduling CCのSCSよりも高い場合、上記スケジュール対象のCCのSCSに基づいて決定される最大ブラインド復号回数及び最大CCE数に対して係数（例えば、１未満の値）が乗算される。
【０１６６】
なお、係数は、SCS毎に異なってもよく、同一でもよい。また、係数は、基地局２００から端末１００へのシグナリング情報として通知されてもよく、基地局２００と端末１００との間で予め共有された定数でもよい。
【０１６７】
＜条件（１）CC数が４以下、またはCC数がブラインド復号能力値以下の場合＞
以下の式（１２）及び式（１３）により、scheduling CCにおけるSCS毎の最大ブラインド復号回数及び最大CCE数が決定される。
スケジュール対象のCCのSCSがscheduling CCのSCSよりも高い場合:
Floor{Xi * (Mi or Ni) * α}            (12)
スケジュール対象のCCのSCSがscheduling CCのSCSよりも高くない場合：
Xi * (Mi or Ni)                        (13)
ここで、
Floor{}：床関数
Xi：SCS iにおけるスケジューリング対象のCC数
Mi：SCS iにおける非CA時の最大ブラインド復号回数（例えば、図２を参照）
Ni：SCS iにおける非CA時の最大CCE数（例えば、図３を参照）
i：スケジュール対象のCCのSCS番号
α：係数
【０１６８】
決定されるSCS毎の最大ブラインド復号回数（Floor{Xi * Mi * α}又はXi * Mi）及び最大CCE数（（Floor{Xi * Ni * α}又はXi * Ni））が適用される時間長は、例えば、スケジュール対象のCCのSCSのスロット長とする。
【０１６９】
図２１は、決定方法２−４に基づく最大ブラインド復号回数の算出例を示す。
【０１７０】
図２１では、１つのscheduling CCのSCS=15kHzであり、２つのscheduled CCのSCS=30kHzであり、係数α=0.8の場合（Example 1）と、１つのscheduling CCのSCS=30kHzであり、２つのscheduled CCのSCS=15kHzであり、係数α=0.8の場合（Example 2）と、におけるブラインド復号回数（例えば、最大ブラインド復号回数）を示す。
【０１７１】
図２１において、スケジュール対象のCCのSCSがscheduling CCのSCSよりも高くなる場合は、Example 1（scheduling CCのSCS=15kHz）において、SCS=30kHzのschdeduled CCをスケジュール対象のCCとする場合（点線で囲む部分）である。この場合、式（１２）が適用される。よって、図２１に示すように、Example 1では、SCS=30kHzのスケジュール対象のCC（i=1。図２１では、２つのscheduled CC）に対するブラインド復号回数は、Floor{X1 * M1 * α}= Floor{2CCs * 36BDs/0.5ms *0.8} =57BDs/0.5msとなる。
【０１７２】
ここで、決定方法２−４（図２１）と、決定方法１（図１３）とを比較する。スケジュール対象のCCのSCSがscheduling CCのSCSよりも高くなる場合（Example 1のスケジュール対象のCCが30kHz CCの場合）、最大ブラインド復号回数は、決定方法１では72BDs/0.5msであるのに対して、決定方法２−４では57BDs/0.5msである。このように、決定方法２−４では、決定方法２−１と同様、決定方法１と比較して、スケジュール対象のCCのSCSがscheduling CCのSCSよりも高くなる場合における最大ブラインド復号回数を低減できる。
【０１７３】
なお、図２１において、上記以外では、スケジュール対象のCCのSCSがscheduling CCのSCSよりも高くない場合に該当し、式（１３）が適用されるので、決定方法１（例えば、図１３）と同一の最大ブラインド復号回数が決定される。
【０１７４】
＜条件（２）CC数が４より多く、かつ、CC数がブラインド復号能力値より多い場合＞
以下の式（１４）及び式（１５）により、scheduling CCにおけるSCS毎の最大ブラインド復号回数及び最大CCE数が決定される。
スケジュール対象のCCのSCSがscheduling CCのSCSよりも高い場合:
Floor{y * (Xi / T) * (Mi or Ni) * α}            (14)
スケジュール対象のCCのSCSがscheduling CCのSCSよりも高くない場合:
Floor{y * (Xi / T) * (Mi or Ni)}                  (15)
ここで、
Floor{}：床関数
y：ブラインド復号能力値
Xi：SCS iにおけるスケジューリング対象のCC数
T：端末に割り当てられた全CC数
Mi：SCS iにおける非CA時の最大ブラインド復号回数（例えば、図２を参照）
Ni：SCS iにおける非CA時の最大CCE数（例えば、図３を参照）
i：スケジュール対象のCCのSCS番号
α：係数
【０１７５】
決定されるSCS毎の最大ブラインド復号回数（Floor{y * (Xi / T) * Mi * α}又はFloor{y * (Xi / T) * Mi}）、及び、最大CCE数（Floor{y * (Xi / T) * Ni * α}又はFloor{y * (Xi / T) * Ni}）を適用する時間長は、例えば、スケジュール対象のCCのSCSのスロット長とする。
【０１７６】
図２２は、決定方法２−４に基づく最大ブラインド復号回数の算出例を示す。
【０１７７】
図２２では、１つのscheduling CCのSCS=15kHzであり、５つのscheduled CCのSCS=30kHzであり、ブラインド復号能力値y=4であり、係数α=0.8の場合（Example 1）と、１つのscheduling CCのSCS=30kHzであり、５つのscheduled CCのSCS=15kHzであり、ブラインド復号能力値y=4であり、係数α=0.8の場合（Example 2）と、におけるブラインド復号回数（例えば、最大ブラインド復号回数）を示す。
【０１７８】
図２２において、スケジュール対象のCCのSCSがscheduling CCのSCSよりも高くなる場合は、Example 1（scheduling CCのSCS=15kHz）において、SCS=30kHzのschdeduled CCをスケジュール対象のCCとする場合（点線で囲む部分）である。この場合、式（１４）が適用される。よって、図２２に示すように、Example 1では、SCS=30kHzのスケジュール対象のCC（i=1。図２２では、５つのscheduled CC）に対するブラインド復号回数は、Floor{y * (X1 / T) * M1 * α}= Floor{4 * (5/6) * 36BDs/0.5ms * 0.8} = 96BDs/0.5msとなる。
【０１７９】
ここで、決定方法２−４（図２２）と、決定方法１（図１４）とを比較する。スケジュール対象のCCのSCSがscheduling CCのSCSよりも高くなる場合（Example 1のスケジュール対象のCCが30kHz CCの場合）、最大ブラインド復号回数は、決定方法１では120BDs/0.5msであるのに対して、決定方法２−４では96BDs/0.5msである。このように、決定方法２−４では、決定方法２−１と同様、決定方法１と比較して、スケジュール対象のCCのSCSがscheduling CCのSCSよりも高くなる場合における最大ブラインド復号回数を低減できる。
【０１８０】
なお、図２２において、上記以外では、scheduling CCのSCSがスケジュール対象のCCのSCSよりも低くない場合に該当し、式（１５）が適用されるので、決定方法１（例えば、図１４）と同一の最大ブラインド復号回数が決定される。
【０１８１】
また、図２１及び図２２では、最大ブラインド復号回数（換言すると、Mi）について説明したが、最大CCE数（換言すると、Ni）についても同様である。
【０１８２】
このように、決定方法２−４によれば、決定方法２−１と同様、決定方法１よりも、最大ブラインド復号回数及び最大CCE数を低減でき、端末１００では要求処理時間をより満たしやすくなる。
【０１８３】
以上、端末１００のブラインド復号回数及びCCE数の決定方法について説明した。
【０１８４】
このようにして、本実施の形態では、端末１００及び基地局２００は、キャリア・アグリゲーションにおいて、端末１００にSCSの異なる複数のCCが割り当てられる場合でも、端末１００の要求処理時間を満たすように、PDCCH受信における最大ブラインド復号回数及び最大CCE数を決定できる。これにより、本実施の形態によれば、複数のCCに異なるSCSが適用される場合に適切に通信できる。また、本実施の形態によれば、例えば、端末１００の要求処理時間を満たすための端末１００の高性能化により、端末のコスト又は消費電力が増加することを回避できる。
【０１８５】
以上、本開示の一実施例について説明した。
【０１８６】
（他の実施の形態）
（１）ブラインド復号回数及びCCE数の決定方法１及び決定方法２（決定方法２−１、２−２、２−３又は２−４）の何れの決定方法を適用するについて、基地局２００が選択し、端末１００にシグナリング情報として通知してもよい。この場合、端末１００がどの決定方法に適した実装になっているかについて、端末１００から基地局２００にシグナリングし、基地局２００が、受け取ったシグナリングに基づいて端末１００に対する決定方法を選択してもよい。
【０１８７】
（２）同じSCSに基づいて決定される最大ブラインド復号回数又は最大CCE数は、スケジュール対象のCCのSCSが異なる場合でも、合計して（纏めて）１つの最大ブラインド復号回数又は最大CCE数としてもよい。例えば、決定方法２−１（図１５又は図１６を参照）において、Example 1では、scheduling CCのSCS（SCS=15kHz）に基づいて決定される最大ブラインド復号回数（又は最大CCE数）は、スケジュール対象のCCが15kHzの場合と、30kHzの場合とで別々に設定される。これに対して、図２３に示すように、Example 1において同一SCS（SCS=15kHz）に基づいて決定される15 kHz CC及び30kHz CCに対する最大ブラインド復号回数（又は最大CCE数）を合計して扱ってもよい。例えば、図２３に示すExample 1では、15 kHz CCに対する44BDs/1msと、30kHz CCに対する88BDs/1msとが合計されて132BDs/1msとなる。
【０１８８】
図２３に示すように、異なるSCSのスケジュール対象のCCに対する最大ブラインド復号回数及び最大CCE数をまとめることにより、SCS間のPDCCHのスケジューリングの自由度を向上できる。
【０１８９】
なお、図２３では、決定方法２−１（図１５）を一例としたが、他の決定方法についても適用可能である。また、図２３では、２つのスケジュール対象のCCについて説明したが、これに限らず、３個以上のスケジュール対象のCCのうち、少なくとも２つのスケジュール対象のCCの最大ブラインド復号回数及び最大CCE数を合計してもよい。
【０１９０】
（３）上述した最大ブラインド復号回数及び最大CCE数の各決定方法において、条件（２）「CC数が４より多く、かつ、CC数がブラインド復号能力値より多い場合」に、条件（１）「CC数が４以下、又は、CC数がブラインド復号能力値以下の場合」の決定方法によって算出される最大ブラインド復号回数及び最大CCE数を使用してもよい。
【０１９１】
例えば、self-scheduling時には、条件（２）「CC数が４より多く、かつ、CC数がブラインド復号能力値より多い場合」であっても、SCell（Secondary Cell）では、非キャリア・アグリゲーション時の最大ブラインド復号回数及び最大CCE数（例えば、15 kHzの場合には、最大ブラインド復号回数：44回、及び、最大CCE数：56個）が適用される場合がある（ただし、基地局がこの最大値を超えないように調整する）。
【０１９２】
この場合と同様に、SCellには、条件（２）に該当する場合でも、条件（１）「CC数が４以下、又は、CC数がブラインド復号能力値以下の場合」の決定方法によって算出される最大ブラインド復号回数及び最大CCE数が適用されてもよい。
【０１９３】
（４）上記各決定方法において、最大ブラインド復号回数及び最大CCE数が適用される時間長は、異なるルールによって設定されてもよい。
【０１９４】
以下、最大ブラインド復号回数及び最大CCE数が適用される時間長に関するルールの例として、ルール１、ルール２及びルール３について説明する。なお、以下の説明において、最大ブラインド復号回数及び最大CCE数の単位時間あたりの値は、上述した各決定方法の場合と同一とする。また、以下では、最大ブラインド復号回数について具体例を用いて説明するが、最大CCE数についても同様である。
【０１９５】
＜ルール１＞
ルール１では、最大ブラインド復号回数及び最大CCE数が適用される時間長は、スケジュール対象のCCのSCSのスロット長とする。
【０１９６】
例えば、決定方法２−１の条件（１）「CC数が４以下、又は、CC数がブラインド復号能力値以下の場合」において説明した例（例えば、図１５を参照）にルール１を適用した場合を図２４に示す。
【０１９７】
具体的には、決定方法２−１（図１５）では、Example 1のSCS=30kHzのスケジュール対象のCCに対するブラインド復号回数は88BDs/1msであり、30kHz SCS（スロット長：0.5ms）の観点では、２スロット（1ms）の間に88回のブラインド復号が要求される。これは、場合によっては１スロット（0.5ms）内に88回のブラインド復号が要求されるケースもあり得ることを意味し、スロット間でブラインド復号回数の偏りが発生し得る。
【０１９８】
この偏りを見越して処理時間が間に合うようにするためには、端末における１スロットの処理能力を向上させる必要があり、端末のコスト又は消費電力が増加し得る。なお、この偏りを許容すると、PDCCHのスケジューリングの自由度を向上できる（換言すると、送信シンボル数をより自由に選択できる）というメリットもある。このため、最大ブラインド復号回数及び最大CCE数が適用される時間長を適切に設定することが必要になる。
【０１９９】
ルール１（図２４）では、Example 1のSCS=30kHzのスケジュール対象のCCに対するブラインド復号回数は44BDs/0.5msであり、30kHz SCS（スロット長：0.5ms）の観点では、各スロット（0.5ms）内に44回のブラインド復号回数が要求される。換言すると、ルール１における単位時間あたりのブラインド復号回数は、決定方法２−１（88BDs/1ms）と同一であるが、スロット間でのブラインド復号回数の偏りを低減できる。これにより、端末１００における１スロットの処理能力の向上が要求されず、端末のコスト又は消費電力の増加を抑えることができる。
【０２００】
このように、ルール１では、スケジュール対象のCCのスロット長に合わせて、最大ブラインド復号回数、最大CCE数を適切に設定できる。
【０２０１】
＜ルール２＞
ルール２では、最大ブラインド復号回数及び最大CCE数が適用される時間長は、scheduling CCのSCSのスロット長とする。
【０２０２】
例えば、決定方法２−１の条件（１）「CC数が４以下、又は、CC数がブラインド復号能力値以下の場合」において説明した例（例えば、図１５を参照）にルール２を適用した場合を図２５に示す。
【０２０３】
具体的には、決定方法２−１（図１５）では、Example 2のSCS=15kHzのスケジュール対象のCCに対するブラインド復号回数は88BDs/1msであるのに対して、ルール２（図２５）では、Example 2のSCS=15kHzのスケジュール対象のCCに対するブラインド復号回数は44BDs/0.5msである。ここで、ルール２における単位時間あたりのブラインド復号回数（44BDs/0.5ms）は、決定方法２−１（88BDs/1ms）と同一である。
【０２０４】
図２５に示すように、ルール２により、スケジュール対象の各CCに対するブラインド復号回数は、何れもscheduling CCのSCSに対応するスロット長となる。具体的には、図２５において、Example 1では、スケジュール対象のCCに対するブラインド復号回数が適用される時間長は、scheduling CCのSCS=15kHzに対応するスロット長（1ms）である。同様に、図２５において、Example 2では、スケジュール対象のCCに対するブラインド復号回数が適用される時間長は、scheduling CCのSCS=30kHzに対応するスロット長（0.5ms）である。
【０２０５】
ルール２によれば、スケジュール対象の各CC宛てのPDCCHに対する最大ブラインド復号回数及び最大CCE数を、当該PDCCHが配置されるscheduling CCにおけるSCSのスロット長に合わせることができる。これにより、ルール２では、scheduling CCのSCSのスロット長に合わせて、最大ブラインド復号回数及び最大CCE数を適切に設定できる。
【０２０６】
＜ルール３＞
ルール３では、最大ブラインド復号回数及び最大CCE数が適用される時間長は、scheduling CCによってスケジュールされるCCのうちの最小SCSのスロット長とする。
【０２０７】
例えば、決定方法２−１の条件（１）「CC数が４以下、又は、CC数がブラインド復号能力値以下の場合」において説明した例（例えば、図１５を参照）にルール３を適用した場合を図２６に示す。
【０２０８】
具体的には、決定方法２−１（図１５）では、Example 2のSCS=30kHzのスケジュール対象のCCに対するブラインド復号回数は36BDs/0.5msであるのに対して、ルール３（図２６）では、Example 2のSCS=30kHzのスケジュール対象のCCに対するブラインド復号回数は72BDs/1msである。ここで、ルール３における単位時間あたりのブラインド復号回数（72BDs/1ms）は、決定方法２−１（36BDs/0.5ms）と同一である。
【０２０９】
このように、ルール３では、最大ブラインド復号回数及び最大CCE数が適用されるスロット長を、最小SCSのスロット長（換言すると、最長のスロット長）に合わせることにより、PDCCHのスケジューリングの自由度を向上できる。
【０２１０】
なお、決定方法２−１（図１５）に対して、上記ルール１、ルール２及びルール３を適用する場合について説明したが、上記ルール１、ルール２及びルール３を決定方法２−１以外の他の決定方法に適用してもよい。また、時間長を変更したうえで、（２）で説明したように、異なるSCSに対する最大ブラインド復号回数又は最大CCE数を合計して（纏めて）１つの最大ブラインド復号回数又は最大CCE数としてもよい。
【０２１１】
（５）self-schedulingとcross-carrier schedulingとが混在する場合には、最大ブラインド復号回数及び最大CCE数は、以下の手順で決定されてもよい。
【０２１２】
＜条件（１）CC数が４以下、又は、CC数がブラインド復号能力値以下の場合＞
最大ブラインド復号回数及び最大CCE数は、self-schedulingとcross-carrier schedulingとにおいてそれぞれ個別に決定される。
【０２１３】
条件（１）において、self-schedulingではCC毎、cross-carrier schedulingではscheduling CC毎に最大ブラインド復号回数及び最大CCE数が決定されるので、最大ブラインド復号回数及び最大CCE数の決定に対して、self-schedulingとcross-carrier schedulingとの混在の影響は無い。
【０２１４】
＜条件（２）CC数が４より多く、かつ、CC数がブラインド復号能力値より多い場合＞
［方法１］
方法１では、端末１００及び基地局２００は、self-schedulingとcross-carrier schedulingとで最大ブラインド復号回数及び最大CCE数を個別に決定し、決定した最大ブラインド復号回数及び最大CCE数をそれぞれ適用する。
【０２１５】
例えば、cross-carrier schedulingでは、上記実施の形態で説明した決定方法に基づいて、最大ブラインド復号回数及び最大CCE数が決定される。
【０２１６】
一方、self-schedulingでは、端末１００及び基地局２００は、例えば、以下の式（１６）に従って、SCS毎にself-scheduling CCの最大ブラインド復号回数及び最大CCE数（self-scheduling CCの合計値）を決定する。
Floor{Xi / T * (Mi or Ni) * y}            (16)
ここで、
Floor{}：床関数
Xi：端末１００に割り当てられたSCS iにおけるself-scheduling のCC数（cross-carrier schedulingのCC数を含まない）
T：端末に割り当てられた全CC数
Mi：SCS iにおける非CA時の最大ブラインド復号回数（例えば、図２を参照）
Ni：SCS iにおける非CA時の最大CCE数（例えば、図３を参照）
i：端末１００に割り当てられたCCのSCS番号
【０２１７】
このように、方法１では、self-schedulingとcross-carrier schedulingとの各々において最大ブラインド復号回数及び最大CCE数が設定される。これにより、端末１００及び基地局２００は、self-scheduling及びcross-carrier schedulingの各々においてブラインド復号回数及びCCE数を管理すればよく、管理が容易になる。
【０２１８】
［方法２］
方法２では、端末１００及び基地局２００は、self-schedulingとcross-carrier schedulingとで最大ブラインド復号回数及び最大CCE数を個別に決定し、決定した最大ブラインド復号回数及び最大CCE数をそれぞれ合算する。換言すると、方法２では、self-scheduling及びcross-carrier schedulingの全体で１つの最大ブラインド復号回数及び最大CCE数が設定される。
【０２１９】
なお、Self-scheduling及びcross-carrier schedulingにおける最大ブラインド復号回数及び最大CCE数の決定方法は方法１と同様である。
【０２２０】
端末１００及び基地局２００は、例えば、self-scheduling及びcross-carrier schedulingの各々において算出した最大ブラインド復号回数（又は、最大CCE数）を合算する。
【０２２１】
なお、scheduling CCがSCell（Secondary Cell）である場合には、基地局２００は、合算値が、条件（１）「CC数が４以下、又は、CC数がブラインド復号能力値以下の場合」の最大ブラインド復号回数及び最大CCE数を超えないように保証してもよい。
【０２２２】
また、Scheduling CCがPCell（Primary Cell）又はPSCell（Primary Secondary Cell）の場合には、合算値が、条件（２）「CC数が４より多く、かつ、CC数がブラインド復号能力値より多い場合」の最大ブラインド復号回数及び最大CCE数に達した場合には、例えば、マッピングルールによって定義された順にsearch spaceがマッピングされてもよい。マッピングルールにおいて定義される順は、例えば、Common search spaceがUE specific search spaceより優先され、UE specific search spaceの中ではsearch space IDの低い順に優先される順でもよい。
【０２２３】
このように、方法２では、self-scheduling及びcross-carrier schedulingの全体で１つの最大ブラインド復号回数及び最大CCE数が設定されるので、PDCCHのスケジューリングの自由度を向上することができる。
【０２２４】
（６）上記実施の形態の決定方法では、スケジュール対象のCCがscheduling CCであるかscheduled CCであるかに依らず、最大ブラインド復号回数及び最大CCE数が決定される場合について説明した。
【０２２５】
これに対して、例えば、scheduling CCにより多くのPDCCHが割り当てられるように、最大ブラインド復号回数及び最大CCE数の決定の際、scheduled CCと比較して、scheduling CC（またはscheduling CCのSCS）の配分が多くなるようにしてもよい。
【０２２６】
例えば、決定方法２−１（例えば、式（７）及び図１６を参照）の条件（２）「CC数が４より多く、かつ、CC数がブラインド復号能力値より多い場合」において、以下の式（１７）を適用する。
Floor{y * (Xi / (T +β)) * (Mj or Nj)}            (17)
ここで、
Floor{}：床関数
y：ブラインド復号能力値
Xi：SCS iにおける、スケジューリング対象のCC数。ただし、scheduling CCのSCSは+βする。
T：端末に割り当てられた全CC数
Mj：SCS jにおける非CA時の最大ブラインド復号回数（例えば、図２を参照）
Nj：SCS jにおける非CA時の最大CCE数（例えば、図３を参照）
i：スケジュール対象のCCのSCSのSCS番号
j：スケジュール対象のCCのSCS(i)がscheduling CCのSCSよりも高い場合、scheduling CCのSCS番号。スケジュール対象のCCのSCSがscheduling CCのSCSよりも高くない場合、スケジュール対象のCCのSCS番号(j=i)。
β：配分調整用変数
【０２２７】
図２７は、式（１７）に基づく最大ブラインド復号回数の算出例を示す。
【０２２８】
図２７では、決定方法２−１（図１６を参照）と同様、１つのscheduling CCのSCS=15kHzであり、５つのscheduled CCのSCS=30kHzであり、ブラインド復号能力値y=4の場合（Example 1）と、１つのscheduling CCのSCS=30kHzであり、５つのscheduled CCのSCS=15kHzであり、ブラインド復号能力値y=4の場合（Example 2）と、におけるブラインド復号回数（例えば、最大ブラインド復号回数）を示す。また、図２７では、β＝１である。
【０２２９】
図２７では、本来、scheduling CC数とscheduled CC数との比率は１対５であるのに対して、式（１７）によれば、scheduling CC数とscheduled CC数との比率は２対５に調整される。換言すると、本来、scheduling CCの全体に対する割合は１／６であるのに対して、式（１７）によれば、scheduling CCの全体に対する割合は２／７になる。このように、図２７では、図１６と比較して、scheduling CCへの最大ブラインド復号回数の配分が増加する。
【０２３０】
なお、図２７では、最大ブラインド復号回数について説明したが、最大CCE数についても同様である。
【０２３１】
これにより、scheduling CCに対してより多くのPDCCHが割り当てられるようになる。
【０２３２】
（７）SCS（又はμの値）、CC数、ブラインド復号能力値ｙ、係数α、配分調整用変数βなどのパラメータは、一例であって、上記実施の形態の説明に用いた値に限定されず、他の値でもよい。
【０２３３】
（８）また、コンポーネントキャリア（CC）は、セル（Cell）と呼ばれることもある。
【０２３４】
（９）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３５】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０２３６】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０２３７】
通信には、セルラーシステム、無線ＬＡＮシステム、通信衛星システム等によるデータ通信に加え、これらの組み合わせによるデータ通信も含まれる。
【０２３８】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０２３９】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２４０】
本開示の一実施例における端末は、第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定する制御回路と、前記最大ブラインド復号回数に基づいてブラインド復号を行い、前記スケジューリング情報を抽出する受信回路と、を具備する。
【０２４１】
本開示の一実施例における端末において、前記制御回路は、前記スケジュール対象のＣＣのサブキャリア間隔に対応付けられたブラインド復号回数を用いて、前記スケジュール対象のＣＣに対する前記最大ブラインド復号回数を決定する。
【０２４２】
本開示の一実施例における端末において、前記サブキャリア間隔が高いほど、当該サブキャリア間隔に対応付けられた単位時間あたりのブラインド復号回数は多く、前記制御回路は、前記スケジュール対象のＣＣのサブキャリア間隔に対応付けられたブラインド復号回数以下の回数を用いて、前記最大ブラインド復号回数を決定する。
【０２４３】
本開示の一実施例における端末において、前記制御回路は、前記スケジュール対象のＣＣのサブキャリア間隔が、前記第１のＣＣのサブキャリア間隔よりも高い場合、前記第１のＣＣのサブキャリア間隔に対応付けられたブラインド復号回数を用いて、当該スケジューリング対象のＣＣに対する前記最大ブラインド復号回数を決定し、前記スケジュール対象のＣＣのサブキャリア間隔が、前記第１のＣＣのサブキャリア間隔よりも高くない場合、前記スケジュール対象のＣＣのサブキャリア間隔に対応付けられたブラインド復号回数を用いて、当該スケジューリング対象のＣＣに対する前記最大ブラインド復号回数を決定する。
【０２４４】
本開示の一実施例における端末において、前記制御回路は、前記第１のＣＣのサブキャリア間隔、及び、前記スケジュール対象のＣＣのサブキャリア間隔のうち、低いサブキャリア間隔に対応付けられたブラインド復号回数を用いて、前記最大ブラインド復号回数を決定する。
【０２４５】
本開示の一実施例における端末において、前記制御回路は、複数の前記スケジュール対象のＣＣのサブキャリア間隔のうち最小のサブキャリア間隔に対応付けられたブラインド復号回数を用いて、前記最大ブラインド復号回数を決定する。
【０２４６】
本開示の一実施例における端末において、前記制御回路は、前記スケジュール対象のＣＣのサブキャリア間隔が、前記第１のＣＣのサブキャリア間隔よりも高い場合、当該スケジューリング対象のＣＣのサブキャリア間隔に対応付けられたブラインド復号回数に１未満の係数を乗算した値を用いて、当該スケジューリング対象のＣＣに対する前記最大ブラインド復号回数を決定し、前記スケジュール対象のＣＣのサブキャリア間隔が、前記第１のＣＣのサブキャリア間隔よりも高くない場合、当該スケジュール対象のＣＣのサブキャリア間隔に対応付けられたブラインド復号回数を用いて、当該スケジューリング対象のＣＣに対する前記最大ブラインド復号回数を決定する。
【０２４７】
本開示の一実施例における通信方法は、第１のコンポーネントキャリア（ＣＣ）及び第２のＣＣの各々に対するスケジューリング情報が前記第１のＣＣで通知される場合、前記第１のＣＣ及び前記第２のＣＣのうち、前記スケジューリング情報によるスケジュール対象のＣＣのサブキャリア間隔に基づいて、前記スケジューリング情報をブラインド復号する際の最大ブラインド復号回数を決定し、前記最大ブラインド復号回数に基づいてブラインド復号を行い、前記スケジューリング情報を抽出する。
【０２４８】
２０１８年８月９日出願の特願２０１８−１４９９１４の日本出願に含まれる明細書、図面および要約書の開示内容は、すべて本願に援用される。
【産業上の利用可能性】
【０２４９】
本開示の一実施例は、移動通信システムに有用である。
【符号の説明】
【０２５０】
１００  端末
１０１，２０１  受信部
１０２  抽出部
１０３，２０２  復調・復号部
１０４，２０４  制御情報保持部
１０５，２０５  制限判定部
１０６  シグナリング情報生成部
１０７，２０８  符号化・変調部
１０８，２０９  送信部
２００  基地局
２０３  CC割当部
２０６  スケジューリング部
２０７  制御情報生成部
【図１】
2020031426.tif 000004
【図２】
2020031426.tif 000005
【図３】
2020031426.tif 000006
【図４】
2020031426.tif 000007
【図５】
2020031426.tif 000008
【図６】
2020031426.tif 000009
【図７】
2020031426.tif 000010
【図８】
2020031426.tif 000011
【図９】
2020031426.tif 000012
【図１０】
2020031426.tif 000013
【図１１】
2020031426.tif 000014
【図１２】
2020031426.tif 000015
【図１３】
2020031426.tif 000016
【図１４】
2020031426.tif 000017
【図１５】
2020031426.tif 000018
【図１６】
2020031426.tif 000019
【図１７】
2020031426.tif 000020
【図１８】
2020031426.tif 000021
【図１９】
2020031426.tif 000022
【図２０】
2020031426.tif 000023
【図２１】
2020031426.tif 000024
【図２２】
2020031426.tif 000025
【図２３】
2020031426.tif 000026
【図２４】
2020031426.tif 000027
【図２５】
2020031426.tif 000028
【図２６】
2020031426.tif 000029
【図２７】
2020031426.tif 000030
【国際調査報告】
2020031426.tif 000031
2020031426.tif 000032
2020031426.tif 000033
2020031426.tif 000034